(57)【要約】【課題】血圧測定回数のカウント結果を報知する。【解決手段】血圧測定する毎に、血圧算出部２０１が出力する測定された血圧データを、メモリ１３に格納する。このとき、測定回数更新部２６１により測定回数がインクリメントされて、メモリ１３に格納される。回数表示データ作成部２７１はメモリ１３から読出した内容に基づき、血圧測定回数のカウント結果の表示用データを作成して、表示制御部２４１に与える。表示制御部２４１は、与えられるデータに基づき、表示部２に血圧測定回数のカウント結果を表示する。【選択図】図３
2007135818.tif 000002
【特許請求の範囲】
【請求項１】
血圧測定部位に装着するカフと、前記カフに加える圧力を調整する加圧・減圧手段と、前記加圧・減圧手段により調整される前記カフ内の圧力を検出する圧力検出手段と、前記圧力検出手段による検出圧力に基づき血圧を算出する血圧算出手段とを有する血圧測定手段と、
前記血圧測定手段による血圧測定の回数をカウントする測定回数カウント手段と、
前記測定回数カウント手段によるカウント結果を報知する報知手段とを備える、電子血圧計。
【請求項２】
前記測定回数カウント手段は、日毎の前記血圧測定の回数をカウントする、請求項１に記載の電子血圧計。
【請求項３】
前記測定回数カウント手段は、週毎の前記血圧測定の回数をカウントする、請求項１に記載の電子血圧計。
【請求項４】
計時するタイマをさらに備え、
前記測定回数カウント手段は、
前記タイマが計時する所定時間帯における、前記血圧測定手段による血圧測定の回数をカウントする、請求項１に記載の電子血圧計。
【請求項５】
計時するタイマをさらに備え、
前記測定回数カウント手段は、
前記タイマが計時する所定時間帯の予め定められた期間における、前記血圧測定手段による血圧測定の回数をカウントする、請求項１に記載の電子血圧計。
【請求項６】
前記所定時間帯は、就寝前の所定時間帯を示す、請求項４または５に記載の電子血圧計。
【請求項７】
前記所定時間帯は、起床後の所定時間帯を示す、請求項４または５に記載の電子血圧計。
【請求項８】
前記報知手段は、
予め指定された必要な測定回数と、前記測定回数カウント手段によりカウントされた回数との差分を報知する、請求項１に記載の電子血圧計。
【請求項９】
前記必要な測定回数を入力する手段をさらに備える、請求項８に記載の電子血圧計。
【請求項１０】
前記測定回数カウント手段は、
所定時間帯の予め定められた期間において、前記測定回数カウント手段によりカウントされた回数が当該期間について予め指定された必要な測定回数未満である場合には、前記カウントされた血圧測定の回数を初期化する、請求項１に記載の電子血圧計。
【請求項１１】
表示部をさらに備えて、
前記報知手段は、
前記表示部に前記カウント結果を表示する、請求項１に記載の電子血圧計。
【請求項１２】
前記表示部には、前記血圧算出手段により算出された血圧データと、前記カウント結果とが表示される、請求項１１に記載の電子血圧計。
【請求項１３】
前記カウント結果は、血圧測定の回数を示し、
前記報知手段は、前記表示部に略棒状の領域を用いて前記血圧測定の回数を表示する、請求項１１に記載の電子血圧計。
【請求項１４】
前記カウント結果は、血圧測定の回数を示し、
前記報知手段は、前記血圧測定の回数を前記表示部に同じ形状のピクトを並べることで表示する、請求項１１に記載の電子血圧計。
【請求項１５】
前記カウント結果は、血圧測定の回数を示し、
前記報知手段は、前記血圧測定の回数をＬＥＤの点灯個数で報知する、請求項１に記載の電子血圧計。
【請求項１６】
音の出力部をさらに備えて、
前記報知手段は、前記音の出力部を介して前記カウント結果を音で報知する、請求項１に記載の電子血圧計。
【請求項１７】
前記測定回数カウント手段は、血圧測定毎に、当該血圧測定を測定回数のカウント対象にするか否かの判断手段を含む、請求項１に記載の電子血圧計。
【請求項１８】
血圧測定部位に装着するカフと、前記カフに加える圧力を調整する加圧・減圧部と、前記加圧・減圧部により調整される前記カフ内の圧力を検出する圧力検出部と、前記圧力検出部による検出圧力に基づき血圧を算出する血圧算出部とを有する血圧測定部とを有する電子血圧計における測定回数報知方法であって、
前記血圧測定部による血圧測定の回数をカウントする測定回数カウントステップと、
前記測定回数カウントステップによるカウント結果を報知する報知ステップとを備える、電子血圧計における測定回数報知方法。
【発明の詳細な説明】
【技術分野】
【０００１】
この発明は、電子血圧計および電子血圧計における測定回数報知方法に関し、特に、記憶した測定データの表示機能を有する電子血圧計および電子血圧計における測定回数報知方法に関する。
【背景技術】
【０００２】
近年、高血圧を要因とする生活習慣病は一般的であり、健康管理の指標として血圧値が用いられ、その血圧管理は重要である。よりよい血圧管理を行なうためには毎日正確に測定し、血圧の変化をトレンドにより管理するのが有用である。
【０００３】
また、1日のうち朝（起床後）と夜（就寝前）に少なくとも１回、もしくは数回測定し平均値を算出し血圧管理を行なうことが推奨されている。従来の技術としては、たとえば以下に示すようなものがある。
【０００４】
特許文献１の血圧計では、カフ（加圧帯）の加圧・減圧による血圧測定が２サイクル以上好ましくは３サイクル自動的に繰返される。そして、各サイクル毎に計測された最高血圧（収縮期血圧）、最低血圧（拡張期血圧）および脈拍数／分の各平均値および計測値と平均値との上下最大偏差値を、最終サイクルの血圧測定終了時に自動的に計算されて表示される。また、繰返すサイクル数は予め設定可能である。
【０００５】
特許文献２の血圧計では、測定時刻を設定し、設定時刻になると血圧測定の報知をする、または自動的に血圧測定を行なうという動作のいずれかを選択的に実行することができる。設定可能な測定時刻は、測定開始時刻と測定時間間隔である。測定時刻は外部から通信手段により設定される。また、自動測定時に被測定者が覚醒していたことを入力する手段も有する。
【特許文献１】特開２００２−１０２１８４号公報
【特許文献２】特開２００１−７０２６０号公報
【発明の開示】
【発明が解決しようとする課題】
【０００６】
従来の電子血圧計では、その日もしくはその週等に血圧測定した回数、または、その日もしくはその週等に後何回測定する必要があるのかが容易に確認できない。また自動測定等の高付加価値機能を搭載すると装置自体のコストが増加するし、高い機能が付加されたために操作や設定が複雑になると、たとえば高齢者にとっては装置自体の扱いが難しくなり、血圧測定コンプライアンスの低下につながる。
【０００７】
それゆえに、この発明の目的は、血圧測定回数のカウント結果を報知する電子血圧計および電子血圧計における測定回数報知方法を提供することである。
【課題を解決するための手段】
【０００８】
この発明のある局面に従う電子血圧計は、血圧測定部位に装着するカフと、前記カフに加える圧力を調整する加圧・減圧手段と、前記加圧・減圧手段により調整される前記カフ内の圧力を検出する圧力検出手段と、前記圧力検出手段による検出圧力に基づき血圧を算出する血圧算出手段とを有する血圧測定手段と、血圧測定手段による血圧測定の回数をカウントする測定回数カウント手段と、測定回数カウント手段によるカウント結果を報知する報知手段とを備える。
【０００９】
したがって、血圧測定回数をカウントした結果が報知されることで、被測定者は、測定回数の確認や必要な測定回数の指導に役立てることできる。
【００１０】
好ましくは、測定回数カウント手段は、日毎、または週毎の血圧測定の回数をカウントする。したがって、その日もしくはその週等に行った測定回数のカウント結果を確認することができ、血圧管理に必要な継続した毎日の測定管理に対して有用である。
【００１１】
好ましくは、計時するタイマをさらに備え、測定回数カウント手段は、タイマが計時する所定時間帯における、血圧測定手段による血圧測定の回数をカウントする。
【００１２】
好ましくは、タイマが計時する所定時間帯の予め定められた期間における、血圧測定手段による血圧測定の回数をカウントする。
【００１３】
したがって、所定時間帯または所定時間帯における予め定められた期間における血圧測定回数のカウント結果を知ることができる。
【００１４】
好ましくは、所定時間帯は、就寝前の所定時間帯、または起床後の所定時間帯を示すので、生活習慣に沿った血圧測定回数のカウント結果を報知できる。
【００１５】
好ましくは、報知手段は、予め指定された必要な測定回数と、測定回数カウント手段によりカウントされた回数との差分を報知する。
【００１６】
したがって、日々の測定回数を指定しておき、指定された測定回数まで後何回かを差分にて報知することで、血圧測定の確認に加えて指導を行なうことができ、血圧測定コンプライアンスの向上につながる。また、指定された測定回数まで後何回かを差分で被測定者に報知して、測定を促すことができるから、自動測定機能等を付与する必要性がなくなり、電子血圧計の構成を簡易にでき、またかかるコストを少なくできる。
【００１７】
好ましくは、電子血圧計は、上述の必要な測定回数を入力する手段をさらに備える。
好ましくは、測定回数カウント手段は、所定時間帯の予め定められた期間において、測定回数カウント手段によりカウントされた回数が当該期間について予め指定された必要な測定回数未満である場合には、カウントされた血圧測定の回数を初期化する。
【００１８】
したがって、所定時間帯において、予め定められた期間における測定回数が必要測定回数に達しない場合には、予め定められた期間における測定回数を必要測定回数までカウントする動作を、繰返すことができる。
【００１９】
好ましくは、表示部をさらに備えて、報知手段は、表示部にカウント結果を表示し、より好ましくは、表示部には、血圧算出手段により算出された血圧データと、カウント結果とが表示される。したがって、カウント結果表示用の特別な表示部を設けなくても、血圧データの表示部を利用してカウント結果を表示することができる。
【００２０】
好ましくは、カウント結果は、血圧測定の回数を示し、報知手段は、表示部に略棒状の領域を用いて血圧測定の回数を表示する、または、血圧測定の回数を表示部に同じ形状のピクトを並べることで表示する。
【００２１】
好ましくは、カウント結果は、血圧測定の回数を示し、報知手段は、血圧測定の回数をＬＥＤの点灯個数で報知する。
【００２２】
好ましくは、音の出力部をさらに備えて、報知手段は、音の出力部を介してカウント結果を音で報知する。
【００２３】
好ましくは、測定回数カウント手段は、血圧測定毎に、当該血圧測定を測定回数のカウント対象にするか否かの判断手段を含む。
【発明の効果】
【００２４】
発明によれば、血圧測定回数をカウントした結果が報知されることで、被測定者は、測定回数の確認や必要な測定回数の指導に役立てることできる。
【発明を実施するための最良の形態】
【００２５】
以下、この発明の各実施の形態について、図面を参照して詳細に説明する。以下の説明では、同一の部品および構成要素には同一の符号を付してある。それらの名称および機能も同じである。したがって、それらについての詳細な説明は繰返さない。
【００２６】
各実施の形態に係る電子血圧計では、その日またはその週等に行った血圧測定の回数に起因するデータを報知する機能を備える。報知データを、その日もしくはその週等の測定回数の確認や必要な測定回数の指導に役立てることが可能となる。
【００２７】
（構成）
各実施の形態に係る電子血圧計のハードウェア構成が図１に示される。
【００２８】
図１を参照して電子血圧計１は、被測定者の血圧測定部位（上腕、手首、指など）に装着されて空気圧により加圧するためのカフ５と、血圧計本体とカフ５とを接続するエア管３とを備える。血圧計本体は被測定者が表示内容を確認可能なように設けられた表示部２および被測定者が外部から操作可能なように設けられた操作部４を備える。
【００２９】
操作部４は、電源スイッチ２０、加圧の開始、すなわち測定の開始を指示する測定スイッチ２１、時計設定スイッチ２２、および記憶されたデータを呼出す（メモリからデータを読出して、表示部２に読出したデータを表示する）ために操作される記憶呼出スイッチ２３を有する。電源スイッチ２０は後述の電源部１５をＯＮ／ＯＦＦするために操作される。測定スイッチ２１は血圧測定の開始または停止を指示するために操作される。
【００３０】
図１を参照して電子血圧計１はカフ５に内蔵されている空気袋６を介して検出される被測定部位の脈圧の変化を脈波の信号として出力するための圧力センサ７、圧力センサ７から出力される圧力を示す電圧信号を増幅する増幅回路８、空気袋６の加圧（空気圧）レベルを調整するためのポンプ９および弁１０、ポンプ９を駆動するポンプ駆動回路１１、弁１０の開閉を調整するための弁駆動回路１２、表示部２、メモリ１３、操作部４、計時動作して計時データ２５１を出力するタイマ１４、電源部１５、音を出力するための音出力部１７ならびにこれら各部を制御するＣＰＵ（Central Processing Unit）１６を含む。時計設定スイッチ２２の操作によりタイマ１４の計時データ２５１を設定することができる。
【００３１】
図２を参照してメモリ１３には領域Ｅ１、Ｅ２およびＥ３が含まれる。領域Ｅ１には、血圧測定毎に、測定結果データがレコードＲｉ（ｉ＝１、２、３、…ｍ）単位で、ランダムにまたは測定時間の順番に従い格納される。レコードＲｉは、最高血圧（systolic blood pressure）を示す最高血圧データＳＢＰ、最低血圧（diastolic blood pressure）を示す最低血圧データＤＢＰ、脈拍数を示す脈拍数データＰＬＳおよび測定時間を示す時間データＴを含む。これらデータは、血圧測定がされる毎にメモリ１３に関連付けされて格納されればよく、レコードＲｉを用いた格納の形式に限定されない。なお、時間データＴは、タイマ１４により出力される計時データ２５１に基づき取得される。
【００３２】
なお、領域Ｅ１の構成は各実施の形態について共通するが、領域Ｅ２または領域Ｅ３は、各実施の形態について内容が異なるため詳細は後述する。
【００３３】
（機能構成）
図３には、各実施の形態に係る電子血圧計１の機能構成が示される。電子血圧計１は、増幅回路８から与えられる電圧信号に基づき、最高血圧、最低血圧および脈拍数を算出するための血圧算出部２０１、血圧算出部２０１で算出されたデータ（最高血圧データＳＢＰ、最低血圧データＤＢＰおよび脈波数データＰＬＳ）と、タイマ１４から与えられる計時データ２５１とを入力し、これら入力データに基づきレコードＲｉを生成して、生成したレコードＲｉをメモリ１３に格納するメモリ格納部２１１、メモリ１３からデータを読出すメモリ読出部２３１、表示部２にデータを表示するための表示制御部２４１、血圧測定回数を更新するための測定回数更新部２６１、および測定回数の表示データを作成する回数表示データ作成部２７１を備える。図３のメモリ１３を除く他の各部は、回路として準備されてもよく、メモリ１３の所定領域に格納されたプログラムとして準備されてもよい。各部に対応のプログラムがＣＰＵ１６によりメモリ１３から読出されて実行されることにより、各部の機能が実現される。
【００３４】
（測定手順）
各実施の形態に係る血圧測定動作について図４のフローチャートに従い説明する。図４のフローチャートに従うプログラムは、予めメモリ１３の所定領域に格納されており、ＣＰＵ１６によりメモリ１３から読出されて実行される。なお、電子血圧計１の電源スイッチ２０が操作されることにより、ＣＰＵ１６は電源部１５を制御して各部への電源供給をしていると想定する。
【００３５】
まず、被測定者はカフ５を測定部位に巻き付けて、測定スイッチ２１を操作するので（ステップＳＴ（以下、単にＳＴと略す）１）、ＣＰＵ１６は、電子血圧計１の初期化処理として、各部を制御して空気袋６内の空気を排気し、圧力センサ７の０ｍｍＨｇ補正を行なう（ＳＴ３）。
【００３６】
初期化処理が終了すると、ＣＰＵ１６は各部を制御して、空気袋６内の圧力を被測定者の最高血圧＋４０ｍｍＨｇ程度まで加圧し（ＳＴ５）、その後、徐々に空気袋６内の圧力を減圧していく（ＳＴ７）。この減圧過程において空気袋６内の圧力は圧力センサ７および増幅回路８で検出されるので、血圧算出部２０１は増幅回路８から出力される電圧信号に基づき血圧（最高血圧および最低血圧）値ならびに脈拍数を算出してＣＰＵ１６の内部メモリに一時的に格納するとともに（ＳＴ９）、表示制御部２４１は算出された血圧値および脈拍数を表示部２に表示する（ＳＴ１１）。血圧測定のための加圧・減圧の処理は従来の電子血圧計のそれと同様である。なお、ここでは血圧測定は減圧過程でするとしているが加圧過程で行なうようにしてよい。
【００３７】
メモリ格納部２１１は、血圧と脈拍の算出・表示が終了すると、与えられる計時データ２５１に基づき時間データＴを取得して、取得した時間データＴと、ＣＰＵ１６の内部メモリから読出した血圧（最高血圧および最低血圧）値ならびに脈拍数を示すデータＳＢＰ、ＤＢＰおよびＰＬＳからなるレコードＲｉを生成して、生成されたレコードＲｉをメモリ１３の領域Ｅ１に格納する（ＳＴ１３）。これで、一連の血圧測定は終了する。
【００３８】
図４の手順では、時間データＴは血圧測定の時間として血圧測定終了時を指示するが、血圧測定の開始時を指示するデータであってもよい。
【００３９】
（実施の形態１）
図５には、本実施の形態に係るメモリ１３の領域Ｅ２の内容例が示される。領域Ｅ２には、回数／日データ群３１と回数／週データ群３２が格納される。回数／日データ群３１は、回数／日データＣＤｊ（ｊ＝１、２、３、…、ｎ）を含む。回数／日データＣＤｊは各日付とその日付に行なわれた血圧測定の回数を示す。回数／週データ群３２は、回数／週データＷＤｋ（ｋ＝１、２、３、…、ｌ）を含む。回数／週データＷＤｋは各週を示す日付と、その週に行なわれた血圧測定の回数を示す。
【００４０】
図６には本実施の形態に係る血圧測定回数表示のためのフローチャートが示されて、図７（Ａ）と（Ｂ）には表示例が示される。
【００４１】
図６のフローチャートに従うプログラムは予めメモリ１３の所定領域に格納されており、ＣＰＵ１６が当該プログラムをメモリ１３から読出し実行することにより、図６の手順で示す機能が実現される。
【００４２】
図６を参照して、図４の血圧測定が実施される（ステップＳ（以下、単にＳと略す）３）。これにより、領域Ｅ１は少なくとも１つのレコードＲｉが格納された状態となる。
【００４３】
血圧測定が終了すると、血圧算出部２０１が、測定回数更新部２６１に対して血圧測定完了の通知２９１を与えるので、測定回数更新部２６１は通知２９１を入力したときに、メモリ読出部２３１を介してメモリ１３の領域Ｅ１を検索して、そこに格納されるレコードＲｉが１個であるか否かを判定する（Ｓ５）。１個であると判定されると、一時変数ＷとＣにそれぞれ１を設定する（Ｓ７）。その後、後述のＳ２１の処理に移行する。ここで、一時変数Ｗは、現在の週の１週間における血圧測定回数をカウントするための変数である。一時変数Ｃはその日毎の血圧測定回数をカウントするための変数である。
【００４４】
一方、領域Ｅ１に格納されたレコードＲｉが１個ではない（Ｓ５でＮＯ）と判定されると、すなわちレコードＲｉが２個以上格納されていると判定されると、測定回数更新部２６１はタイマ１４から与えられる時間データ２５１に基づき、日付が変更したか否かを判定する（Ｓ９）。つまり、測定回数更新部２６１は時間データ２５１が与えられる毎にそれを内部メモリ（図示せず）に格納しており、そして、時間データ２５１が与えられると、与えられた時間データ２５１と内部メモリに格納していた時間データとを比較し、その比較結果に基づき日付が変わったか否かを判定する。日付が変わったと判定すると（Ｓ９でＹＥＳ）、測定回数更新部２６１は変数Ｃに１を設定し（Ｓ１１）、変わっていないことを判定すると（Ｓ９でＮＯ）、変数Ｃの値を１インクリメントする（Ｓ１３）。その後、週が変わったか否かを、Ｓ９の処理と同様に、与えられる時間データ２５１と内部メモリに格納していた時間データ２５１とを比較し、比較結果に基づき判定する（Ｓ１５）。週が変わったと判定すると（Ｓ１５でＹＥＳ）、変数Ｗに１を設定し（Ｓ１７）、週は変わっていないと判定する（Ｓ１５でＮＯ）と変数Ｗの値を１インクリメントし（Ｓ１９）、次の処理に移行する。
【００４５】
次の処理（Ｓ２１）において、測定回数更新部２６１は、回数／日データＣＤｊに時間データ２５１が指示する今日の日付を示すデータと変数Ｃの値とを設定し、メモリ格納部２１１を介して回数／日データＣＤｊを領域Ｅ２に格納する。また、時間データ２５１が指示する週を示す回数／週データＷＤｋに変数Ｗの値を設定し、メモリ格納部２１１を介して回数／週データＷＤｋを領域Ｅ２に格納する。これにより、領域Ｅ２に既に今日の日付を示す回数／日データＣＤｊと今週の日を示す回数／週データＷＤｋとが格納されていた場合には、これらのデータが上書きされる。
【００４６】
回数表示データ作成部２７１は、データ表示する（Ｓ２３）。つまり、測定回数更新部２６１から領域Ｅ２における測定回数の更新の完了したことを示す通知２８１が与えられると、メモリ読出部２３１を介して今日の日付および今週の日付に該当する回数／日データＣＤｊおよび回数／週データＷＤｋを回数／日データ群３１および回数／週データ群３２のそれぞれから検索して読出し、読出した各データを表示のためのデータに生成して、生成した表示データを表示制御部２４１に与える。表示制御部２４１は与えられるデータを表示部２に表示する。
【００４７】
なお、回数表示データ作成部２７１は、タイマ１４から与えられる時間データ２５１に基づき今日の日付および今週の日付を特定し、特定したデータに基づきメモリ読出部２３１を介して領域Ｅ２を検索する。
【００４８】
図７（Ａ）には血圧測定（Ｓ３）終了直後の処理（ＳＴ１１）において、最高血圧データ６１、最低血圧データ６２および脈拍数データ６３と時間データ２５１による測定時間データ６４が表示部２に表示された状態が示される。図７（Ｂ）には、図７（Ａ）の表示から、図６の手順に従い、測定時間データ６４に代替して今日の回数／日データＣＤｊによる回数データ６５が表示された状態が示される。図７（Ｂ）では回数／日データＣＤｊのみが表示されているが、回数／週データＷＤｋのみを表示してもよく、また両データを並べて表示してもよい。
【００４９】
なお、ここでは、血圧測定（Ｓ３）に続いて、自動的にその日、またはその週の測定回数を表示するとしたが、その日の測定回数またはその週の測定回数の表示は、血圧測定（Ｓ３）に連続して行なわれるものに限定されない。たとえば、記憶呼出のスイッチ２３を被測定者が操作することにより、図７（Ａ）の表示から図７（Ｂ）の表示に切換えられるようにしてもよい。すなわち、図６のＳ５以降の処理は、記憶呼出のスイッチ２３が操作されたことに応じて実行が開始されるようにしてもよい。
【００５０】
（実施の形態２）
本実施の形態では、朝（たとえば起床後）と夜（たとえば就寝前）に血圧測定した回数を表示する電子血圧計が示される。
【００５１】
図８には、本実施の形態に係るメモリ１３の領域Ｅ２とＥ３の内容例が示される。領域Ｅ２には、起床後回数データ３３および就寝前回数データ３４が格納される。領域Ｅ３には起床後リミット時間データ３５および就寝前リミット時間データ３６が格納される。起床後回数データ３３は、その日の起床後に血圧測定した回数データを示す。就寝前回数データ３４は、その日の就寝前に血圧測定した回数を示す。起床後リミット時間データ３５は、起床後の限定した血圧測定時間帯を示すデータであり、たとえば６時から８時を示す。就寝前リミット時間データ３６は就寝前の限定した血圧測定時間帯を示すデータであり、たとえば２２時〜２４時を示す。起床後リミット時間データ３５と就寝前リミット時間データ３６は領域Ｅ３に予め固定で格納されていてもよく、または被測定者毎に（シフトワーカであることも考慮して）可変に設定できるようにしてもよい。
【００５２】
図９には、本実施の形態に係る測定回数の表示手順が示される。図９のフローチャートに従うプログラムは予めメモリ１３の所定領域に格納されており、ＣＰＵ１６が当該プログラムをメモリ１３から読出し実行することにより、図９の手順に従うデータ表示が実現される。本実施の形態でも、血圧測定（Ｓ３）が行なわれる毎に自動的に測定回数の表示処理が実行されるが、実施の形態１と同様に、外部から指示されたことに応じて表示処理が開始されるようにしてもよい。
【００５３】
図９において、まず前述した図４の血圧測定の処理が実行される（Ｓ３）。その後、血圧算出部２０１が、測定回数更新部２６１に対して血圧測定完了の通知２９１を与えるので、測定回数更新部２６１は通知２９１を入力したときに、タイマ１４から与えられる時間データ２５１に基づき今回の血圧測定が起床後のリミット時間の測定に該当するか否かを判定する（Ｓ２５）。つまり、時間データ２５１が指示する時間と、メモリ読出部２３１を介して領域Ｅ３から読出された起床後リミット時間データ３５の時間帯とを比較し、時間データ２５１が指示する時間が、起床後リミット時間データ３５が指示するリミット時間帯に該当するか否かを判定する。該当すると判定した場合（Ｓ２５でＹＥＳ）、測定回数更新部２６１は、メモリ読出部２３１を介して領域Ｅ２から読出した起床後回数データ３３の値を１インクリメントして更新し、メモリ格納部２１１を介して領域Ｅ２に格納（元の起床後回数データ３３を上書き）する（Ｓ２７）。その後、後述のＳ３３の処理に移行する。
【００５４】
一方、時間データ２５１が指示する時間が起床後リミット時間データ３５が指示する時間帯に該当しないと判定すると（Ｓ２５でＮＯ）、測定回数更新部２６１は、領域Ｅ２から、メモリ読出部２３１を介して読出した就寝前リミット時間データ３６と時間データ２５１が指示する時間とを比較して、就寝前リミット時間データ３６が指示するリミット時間帯に時間データ２５１が指示する時間が該当するか否かを判定する（Ｓ２９）。リミット時間帯に該当しないと判定すると（Ｓ２９でＮＯ）後述のＳ３３の処理に移行するが、リミット時間帯に該当すると判定すると（Ｓ２９でＹＥＳ）、測定回数更新部２６１はメモリ読出部２３１を介して領域Ｅ３から読出した就寝前回数データ３４を１インクリメントして、その後、更新した就寝前回数データ３４をメモリ格納部２１１を介して領域Ｅ２に格納（元の起床後回数データ３４を上書き）する（Ｓ３１）。その後、Ｓ３３の処理に移行する。
【００５５】
更新後のデータの格納が完了すると測定回数データが表示される（Ｓ３３）。つまり、測定回数更新部２６１はＳ２５〜Ｓ３１の処理を終了すると、完了の通知２８１を回数表示データ作成部２７１に与えるので、回数表示データ作成部２７１は、通知２８１が与えられるのに応じてメモリ読出部２３１を介して領域Ｅ２から起床後回数データ３３および就寝前回数データ３４を読出し、表示用のデータに生成し、表示制御部２４１に与える。表示制御部２４１は、与えられたデータを表示部２に表示する（Ｓ３３）。
【００５６】
なお、測定時間が、起床後時間帯および就寝前時間帯のいずれにも該当しないときには、起床後回数データ３３および就寝前回数データ３４の更新は行なわれない。
【００５７】
Ｓ３３の表示例が図１０に示される。図１０では、起床後回数データ３３と就寝前回数データ３４のデータにより、その日の起床後の血圧測定の回数データが３回と示されて、就寝前の血圧測定の回数データは２回と示されている。
【００５８】
なお、ここでは領域Ｅ２に１日分の起床後回数データ３３と就寝前回数データ３４のみを格納する。つまり、次の日になると（起床後リミット時間データ３５の時間または就寝前リミット時間データ３５の時間から２４時間経過すると）、起床後回数データ３３または就寝前回数データ３４は測定回数更新部２６１によりクリア（値０）に初期化されるものと想定する。この初期化は次のようにされてもよい。つまり、タイマ１４から与えられる時間データ２５１に基づき起床後回数データ３３または就寝前回数データ３４が０から１にカウントアップされた時間を、タイマ１４から与えられる時間データ２５１に基づき判別して記憶しておき、当該記憶した時間と逐次入力する時間データ２５１が指示する時間との差分がほぼ２４時間になったとき、初期化する。
【００５９】
本実施の形態では、起床後回数データ３３と就寝前回数データ３４は１日単位でしか記憶しないとしたが、毎日についての起床後回数データ３３と就寝前回数データ３４を蓄積して領域Ｅ２に記憶するようにしてもよい。
【００６０】
（実施の形態３）
本実施の形態では、血圧測定の回数を被測定者が任意に設定することができる電子血圧計が示される。図１１には、本実施の形態に係る測定回数のデータ表示のためのフローチャートが示されて、図１２には、その表示例が示される。図１２を参照すると、操作部４に測定回数の設定スイッチ２４が追加して設けられている。
【００６１】
図１１のフローチャートは、実施の形態１に示した図６のフローチャートのＳ３とＳ５の処理の間にＳ４の判定処理を加えた点が異なる他は、図６のそれと同じである。したがって、Ｓ４の処理について説明をし、他の処理の説明は略す。
【００６２】
本実施の形態では、血圧測定（Ｓ３）が終了すると、ＣＰＵ１６により、被測定者により測定回数の設定のスイッチ２４が操作されたか否かが判定される（Ｓ４）。操作されていないと判定されると、今回、血圧測定はしたけれども、測定回数更新部２６１による、その日の回数／日データＣＤｊと、その週の回数／週データＷＤｋの値の更新はされずに、Ｓ２３の処理に移行する。一方、スイッチ２４の操作がされたと判定されると（Ｓ４でＹＥＳ）、Ｓ５以降の処理が前述と同様に行なわれる。
【００６３】
したがって、被測定者は、血圧測定をしたけれども、それをメモリ１３中の回数データに反映するか否かを、任意に決定することができる。
【００６４】
ここでは、測定回数の設定を、スイッチ２４を個別に設けて、これを操作することにより実施しているが、個別のスイッチ２４を設けることなく、記憶呼出のスイッチ２３など他のスイッチの組合せでするようにしてもよい。
【００６５】
（実施の形態４）
本実施の形態では、朝（たとえば起床後）と夜（たとえば就寝前）に血圧測定すべき回数を被測定者に対して報知することのできる電子血圧計が示される。本実施の形態では、起床後（朝）および就寝前（夜）などの時間帯の条件は、予めメモリの領域Ｅ３において設定されており、起床後時間（就寝前時間）の設定条件に基づき、その時間帯で測定した回数をカウントし表示する。また、これらの時間帯は、シフトワーカなどのために被測定者が任意に設定できるようにしてもよい。
【００６６】
また、本実施の形態では、起床後（朝）および就寝前（夜）における必要な測定回数はメモリ１３の領域Ｅ３に予め固定で格納されていてもよく、また被測定者毎に可変に変更できるようにしてもよい。
【００６７】
また、本実施の形態では領域Ｅ３において起床後（朝）および就寝前（夜）のそれぞれについて設定された回数以上の血圧測定が行なわれた場合には、測定回数表示は最終の表示状態を維持するようにしてもよい。
【００６８】
また、起床後（朝）および就寝前（夜）の測定に関して、測定の時間帯における必要な測定回数が、所定期間内（たとえば１０分以内）に行なわれているか否かを判定し、行なわれなければ測定回数の表示がリセットされるようにしてもよい。
【００６９】
図１３には、本実施の形態に係るメモリ１３の領域Ｅ２とＥ３の内容例が示される。領域Ｅ２には、カウントされた起床後の血圧測定回数を示すデータ３８と、就寝前の血圧測定回数を示すデータ３９とが格納されるとともに、起床後回数データ３８と就寝前回数データ３９に関連してフラグＦ１とＦ２、および時間のデータＴ１とＴ２が格納される。
【００７０】
領域Ｅ３には、起床後リミット時間データ３５、起床後期間データ４０、起床後規定回数データ４１が格納され、さらに、就寝前リミット時間データ３６、就寝前期間データ４２および就寝前規定回数データ４３が格納される。起床後規定回数データ４１は、起床後リミット時間データ３５が示す限定された時間帯において、起床後期間データ４０が示す所定期間（たとえば１０分）内において必要な血圧測定の回数を規定する。同様に就寝前規定回数データ４３は、就寝前リミット時間データ３６が示す就寝前の限定された時間帯にいて、就寝前期間データ４２が示す所定期間（たとえば１０分）内において必要な血圧測定の回数を規定する。
【００７１】
これらデータにより、起床後リミット時間データ３５が示すたとえば６時から８時の時間帯における、起床後期間データ４０が示す任意の１０分間内で、起床後規定回数データ４１で示される回数の血圧測定が行なわれるべきことが指示される。同様に、就寝前リミット時間データ３６が示すたとえば２２時から２４時の時間帯における、就寝前期間データ４２が示す任意の１０分間内で、就寝前規定回数データ４３で示される回数の血圧測定が行なわれるべきことが指示される。
【００７２】
図１４のフローチャートで示されるプログラムは、メモリ１３の所定領域に予め格納されており、ＣＰＵ１６が当該領域からプログラムを読出して実行することにより、図１４に示される表示処理が実現される。
【００７３】
図１４を参照して、まず、血圧測定の処理が実行される（Ｓ３）。その後、測定回数更新部２６１は血圧算出部２０１から血圧測定完了の通知２９１を入力するので、通知２９１を入力したことに応じて、タイマ１４から与えられている時間データ２５１が、メモリ読出部２３１から読出された起床後リミット時間データ３５に該当するか否かを判定する（Ｓ３５）。時間データ２５１が示す現在の時間が、起床後リミット時間データ３５が示す起床後血圧測定の指定された時間帯に該当していたとすれば（Ｓ３５でＹＥＳ）、更新後の起床後回数データ３８の値が‘１’を示すか否かを判定する（Ｓ４８）。更新後の起床後回数データ３８の値が‘１’を示すと判定されると（Ｓ４８でＹＥＳ）、測定回数更新部２６１は、与えられる時間データ２５１の時間データをデータＴ１として、メモリ格納部２１１を介して領域Ｅ２に格納して（Ｓ４９）、後述のＳ５０の処理に移行する。更新後の起床後回数データ３８の値が‘１’を示さないと判定されると（Ｓ４８でＮＯ）、Ｓ５０の処理に移行する。データＴ１は、起床後期間データ４０が示す所定期間内の１回目の血圧測定がされた時間を指示する。
【００７４】
Ｓ５０の処理では、測定回数更新部２６１は、メモリ読出部２３１から、起床後期間データ４０を読出し、与えられる時間データ２５１の時間は読出した起床後期間データ４０の指示する所定期間に該当するか否かを判定する（Ｓ５０）。当該期間内に該当しなければ（Ｓ５０でＮＯ）、当該期間内でないことを指示する一時変数のフラグＦＬ１に１をセットして、データＴ１を初期化する（Ｓ５１）。その後、後述のＳ５５の処理に移行する。該当すると判定されると（Ｓ５０でＹＥＳ）、測定回数更新部２６１は、フラグＦＬ１に０をセットして（Ｓ５０ａ）、メモリ読出部２３１から起床後回数データ３８を読出して、読出した起床後回数データ３８の値を１インクリメントした後に、メモリ格納部２１１を介して領域Ｅ２に格納する（Ｓ５２）。
【００７５】
Ｓ５０の判定処理を具体的に説明する。測定回数更新部２６１は、領域Ｅ２の起床後回数データ３８が‘０’を指示するならば、無条件に、時間データ２５１の時間は読出した起床後期間データ４０の指示する時間帯に該当すると判定する（Ｓ５０でＹＥＳ）。もし、領域Ｅ２の起床後回数データ３８が‘１’以上を指示する場合において、領域Ｅ２のデータＴ１の時間と与えられる時間データ２５１が指示する時間との差分が、起床後期間データ４０の指示する所定期間（たとえば１０分）以下であれば、時間データ２５１の時間は読出した起床後期間データ４０の指示する時間帯に該当すると判定し（Ｓ５０でＹＥＳ）、所定期間を超えていれば時間データ２５１の時間は読出した起床後期間データ４０の指示する時間帯に該当しないと判定する（Ｓ５０でＮＯ）。
【００７６】
その後、測定回数更新部２６１は更新後の起床後回数データ３８が指す値が、メモリ読出部２３１を介して領域Ｅ３から読出した起床後規定回数データ４１が指示する規定回数を超えているか否かを判定する（Ｓ５５）。規定回数分を超えて測定したと判定すると（Ｓ５５でＹＥＳ）、メモリ読出部２３１を介して領域Ｅ２から読出したフラグＦ１を‘１’にセットし、起床後回数データ３８の値を１デクリメントして、セット後のフラグＦ１と更新後の起床後回数データ３８を、メモリ格納部２１１を介して領域Ｅ２に格納（上書き）する（Ｓ５７）。
【００７７】
一方、規定回数以内の測定であると判定すると（Ｓ５５でＮＯ）、測定回数更新部２６１は、フラグＦＬ１が１を示すか否かを判定する（Ｓ５６）。フラグＦＬ１＝１と判定すると（Ｓ５６でＹＥＳ）、測定回数が規定回数を示すか否かを判定する（Ｓ５６ａ）。規定回数を示すと判定されると（Ｓ５６ａでＹＥＳ）、Ｓ５９の処理に移行する。規定回数を示さないと判定されると（Ｓ５６ａでＮＯ）、起床後回数データ３８をリセット（値０）にし（Ｓ５８）、Ｓ５９の処理に移行する。ＦＬ１＝１でないと判定すると（Ｓ５６でＮＯ）、Ｓ５９の処理に移行する。Ｓ５９では、メモリ読出部２３１を介して領域Ｅ２から読出したフラグＦ１を‘０’にセットし、セット後のフラグＦ１と更新後の起床後回数データ３８をメモリ格納部２１１を介して領域Ｅ２に格納（上書き）する（Ｓ５９）。
【００７８】
Ｓ５７またはＳ５９の処理後、測定回数更新部２６１は更新完了の通知２８１を回数表示データ作成部２７１に与えるので、回数表示データ作成部２７１によるＳ６１以降の処理が行なわれる。
【００７９】
Ｓ３５の処理に戻り、今回の血圧測定が完了した旨の通知２９１を入力した測定回数更新部２６１が今回の血圧測定が、起床後リミット時間データ３５が示す時間帯に行なわれていないことを判定すると（Ｓ３５でＮＯ）、与えられる時間データ２５１の時間は、メモリ読出部２３１を介して領域Ｅ３から読出した就寝前リミット時間データ３６が示す時間帯に該当するか否かを判定する（Ｓ３７）。この時間帯に該当しないと判定すると（Ｓ３７でＮＯ）、完了の通知２８１を回数表示データ作成部２７１に与えるので、回数表示データ作成部２７１および表示制御部２４１によりＳ６１以降の処理が行なわれる。
【００８０】
一方、今回の血圧測定が就寝前リミット時間データ３６に示す時間帯に行なわれたことを判定すると（Ｓ３７でＹＥＳ）、次に、更新後の就寝前回数データ３９の値が‘１’を示すか否かを判定する（Ｓ３７ａ）。更新後の就寝前回数データ３９の値が‘１’を示すならば（Ｓ３７ａでＹＥＳ）、測定回数更新部２６１は、与えられる時間データ２５１をデータＴ２として、メモリ格納部２１１を介して領域Ｅ２に格納して（Ｓ３７ｂ）、その後、Ｓ３８の処理に移行する。更新後の就寝前回数データ３９の値が‘１’を示さないならば（Ｓ３７ａでＮＯ）、Ｓ３８の処理に移行する。データＴ２は、就寝前期間データ４２が示す所定期間内の１回目の血圧測定がされた時間を指示する。
【００８１】
Ｓ３８の処理では、測定回数更新部２６１は、メモリ読出部２３１を介して領域Ｅ３から読出した就寝前期間データ４２が示す所定期間内の血圧測定であったか否かを判定する（Ｓ３８）。就寝前期間内の血圧測定には該当しないことを判定すると（Ｓ３８でＮＯ）、当該期間内でないことを指示する一時変数のフラグＦＬ２に１をセットして、データＴ２を初期化して（Ｓ３９）、後述のＳ４３の処理に移行するが、該当すると判定されると（Ｓ３８でＹＥＳ）、測定回数更新部２６１は、フラグＦＬ２に０をセットする（Ｓ３８ａ）。そして、メモリ読出部２３１から就寝前回数データ３９を読出して、読出した就寝前回数データ３９の値を１インクリメントした後に、メモリ格納部２１１を介して領域Ｅ２に格納（上書き）する（Ｓ４０）。
【００８２】
Ｓ３８の判定処理を具体的に説明する。測定回数更新部２６１は、領域Ｅ２の就寝前回数データ３９が‘０’を指示するならば、無条件に、時間データ２５１の時間は読出した就寝前期間データ４２の指示する時間帯に該当すると判定する（Ｓ３８でＹＥＳ）。もし、領域Ｅ２の就寝前回数データ３９が‘１’以上を指示する場合において、領域Ｅ２のデータＴ２の時間と与えられる時間データ２５１が指示する時間との差分が、就寝前期間データ４２の指示する所定期間（たとえば１０分）以下であれば、時間データ２５１の時間は読出した就寝前期間データ４２の指示する所定期間に該当すると判定し（Ｓ３８でＹＥＳ）、所定期間を超えていれば時間データ２５１の時間は就寝前期間データ４０の指示する時間帯に該当しないと判定する（Ｓ３８でＮＯ）。
【００８３】
その後、測定回数更新部２６１は読出した就寝前回数データ３９が指示する値が、メモリ読出部２３１を介して領域Ｅ３から読出した就寝前規定回数データ４３が示す回数を超えているか否かを判定する（Ｓ４３）。就寝前回数データ３９が示す回数が、就寝前規定回数データ４３が示す回数以下の値を示す場合には（Ｓ４３でＮＯ）、測定回数更新部２６１は、フラグＦＬ２が１を示すか否かを判定する（Ｓ４４）。フラグＦＬ２＝１と判定すると（Ｓ４４でＹＥＳ）、測定回数が規定回数を示すか否かを判定する（Ｓ４４ａ）。規定回数を示すと判定されると（Ｓ４４ａでＹＥＳ）、Ｓ４７の処理に移行する。規定回数を示さないと判定されると（Ｓ４４ａでＮＯ）、就寝前回数データ３９の値をリセット（０）にして（Ｓ４６）、Ｓ４７の処理に移行する。ＦＬ２＝１でないと判定すると（Ｓ４４でＮＯ）、Ｓ４７の処理に移行する。Ｓ４７では、メモリ読出部２３１を介して領域Ｅ２から読出したフラグＦ２を‘０’にセットし、セット後のフラグＦ２と更新後の起床後回数データ３８を、メモリ格納部２１１を介して領域Ｅ２に格納（上書き）する（Ｓ４７）。
【００８４】
一方、規定回数分を超えて測定したと判定すると（Ｓ４３でＹＥＳ）、メモリ読出部２３１を介して領域Ｅ２から読出したフラグＦ２を‘１’にセットし、就寝前回数データ３９の値を１デクリメントして、セット後のフラグＦ２と更新後の就寝前回数データ３９を、メモリ格納部２１１を介して領域Ｅ２に格納（上書き）する（Ｓ４５）。
【００８５】
Ｓ４５またはＳ４７の処理後、測定回数更新部２６１は更新完了の通知２８１を回数表示データ作成部２７１に与えるので、回数表示データ作成部２７１によるＳ６１以降の処理が行なわれる。
【００８６】
Ｓ６１以降の処理について説明する。
回数表示データ作成部２７１は、測定回数更新部２６１から与えられる回数更新完了の通知２８１を入力すると、それに応じて、メモリ読出部２３１を介して領域Ｅ２から起床後回数データ３８、就寝前回数データ３９、フラグＦ１およびＦ２を、ならびに領域Ｅ３から起床後規定回数データ４１および就寝前規定回数データ４３を読出す（Ｓ６１）。
【００８７】
その後、就寝前と起床後の回数についてそれぞれ、残りの測定すべき回数を算出する（Ｓ６３）。つまり、フラグＦ１またはＦ２が‘１’を示すならば、規定回数分の血圧測定が終了していることになるので、就寝前の残りの血圧測定回数は０または起床後の残りの血圧測定回数は０と決定する。一方、フラグＦ１またはＦ２が‘０’を示すならば、残りの実施すべき血圧測定の回数を、（起床後規定回数データ４１−起床後回数データ３８）または（就寝前規定回数データ４３−就寝前回数データ３９）に従い算出する。
【００８８】
その後、表示制御部２４１は、Ｓ６３で算出された回数を、就寝前と起床後のそれぞれについて、フラグＦ１とＦ２の値に基づき表示する（Ｓ６５）。つまり、回数表示データ作成部２７１は、フラグＦ１が‘１’ならば、起床後規定回数データ４１が示す規定回数分の血圧測定が完了していることを示すアイコンを表示するように表示制御部２４１に指示する。またフラグＦ１が‘０’ならば、算出された残りの起床後測定回数を指示する表示データを作成し表示制御部２４１に与える。同様に、回数表示データ作成部２７１は、フラグＦ２が‘１’ならば、就寝前規定回数データ４３が示す規定回数分の血圧測定が完了していることを示すアイコンを表示するように表示制御部２４１に指示する。またフラグＦ２が‘０’ならば、算出された残りの就寝前測定回数を指示する表示データを作成し表示制御部２４１に与える。表示制御部２４１は回数表示データ作成部２７１から与えられる指示に基づくデータで表示部２に回数データを表示する。
【００８９】
図１５には、データ６７により、起床後の血圧測定の残り回数は０回であることが示されており就寝前の血圧測定の残り回数は２回であることが示されている。
【００９０】
また図１６のデータ６８で示すように、残りの測定回数を略棒状の領域、もしくはピクトの色の変化もしくは黒ベタと白抜きで表示するようにしてもよい。データ６８では、起床後の血圧測定は規定回数分完了していることが指示されて、就寝前の血圧測定は２回残っていることが指示される。規定された測定回数分の血圧測定が完了した場合には、測定完了の報知がたとえば特別のアイコン６９の表示でなされる。また、ピクトの代わりに、ＬＥＤ（Light Emitting Diode）などの光によって被測定者に報知してもよい。また、図１７に示されるように、表示してもよい。
【００９１】
ここでは、起床後と就寝前の残りの測定回数を算出して表示するようにしているが、次のようにしてもよい。つまり、１日の測定すべき回数を予め設定しておき、その日における残りの測定すべき回数を表示してもよい。また、１週間で測定すべき回数を予め設定しておき、その週における残りの測定すべき回数を表示するようにしてもよい。
【００９２】
（実施の形態５）
本実施の形態では、図１８のように表示部２にカレンダー７０を表示して、カレンダー７０上で各日毎に規定の測定回数に対して現在の測定回数または残りの測定すべき回数を表示するようにしてもよい。
【００９３】
この場合には、領域Ｅ２には、各月日に対応付けて、起床後回数データ３８と関連のフラグＦ１および就寝前回数データ３９と関連のフラグＦ２とが図１４の手順で格納されることになる。そして、領域Ｅ２に格納された毎日のデータについて、領域Ｅ３のデータに従いＳ６１〜Ｓ６５の処理をすることにより、図１８のように表示することができる。
【００９４】
なお、カレンダー７０のための画面データは予めメモリ１３の所定領域に格納されており、当該画面データに基づきカレンダー７０が表示されると想定する。
【００９５】
（実施の形態６）
上述の各実施の形態では、測定回数のデータの報知は、表示部２によるデータ表示としたが、音出力部１７を介して音声により報知するようにしてもよい。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】各実施の形態に係る電子血圧計のハードウェア構成図である。
【図２】各実施の形態に係るメモリの概略内容を示す図である。
【図３】各実施の形態に係る電子血圧計の機能構成図である。
【図４】各実施の形態に係る血圧測定動作のフローチャートである。
【図５】実施の形態１に係るメモリの領域の内容例を示す図である。
【図６】実施の形態１に係る血圧測定回数表示のためのフローチャートである。
【図７】（Ａ）と（Ｂ）は実施の形態１の表示例を示す図である。
【図８】実施の形態２に係るメモリの領域の内容例を示す図である。
【図９】実施の形態２に係る測定回数表示表示のためのフローチャートである。
【図１０】実施の形態２に係る表示例を示す図である。
【図１１】実施の形態３に係る測定回数表示表示のためのフローチャートである。
【図１２】実施の形態３に係る表示例を示す図である。
【図１３】実施の形態４に係るメモリの領域の内容例を示す図である。
【図１４】実施の形態４に係る測定回数表示表示のためのフローチャートである。
【図１５】実施の形態４に係る表示例を示す図である。
【図１６】実施の形態４に係る他の表示例を示す図である。
【図１７】実施の形態４に係るさらなる他の表示例を示す図である。
【図１８】実施の形態５に係る表示例を示す図である。
【符号の説明】
【００９８】
２０１  血圧算出部、２１１  メモリ格納部、２３１  メモリ読出部、２４１  表示制御部、２６１  測定回数更新部、２７１  回数表示データ作成部。
【図１】
2007135818.tif 000003
【図２】
2007135818.tif 000004
【図３】
2007135818.tif 000005
【図４】
2007135818.tif 000006
【図５】
2007135818.tif 000007
【図６】
2007135818.tif 000008
【図７】
2007135818.tif 000009
【図８】
2007135818.tif 000010
【図９】
2007135818.tif 000011
【図１０】
2007135818.tif 000012
【図１１】
2007135818.tif 000013
【図１２】
2007135818.tif 000014
【図１３】
2007135818.tif 000015
【図１４】
2007135818.tif 000016
【図１５】
2007135818.tif 000017
【図１６】
2007135818.tif 000018
【図１７】
2007135818.tif 000019
【図１８】
2007135818.tif 000020